(57)【要約】【課題】作業員がユーザ宅を訪問することなしに、ユーザ宅で無線接続するための通信機器の設定を行う。【解決手段】無線ＬＡＮ設定装置１０は、通信機器５０を購入した顧客の顧客宅ルータ４０と同じ設定に店舗内ルータ３０の設定を変更する。そして、店員は、このような設定がなされた店舗内ルータ３０と無線ＬＡＮ接続ができるように、顧客が購入した通信機器５０を設定する。その後、通信機器５０は顧客宅で利用されるが、既に購入者宅ルータ４０と接続するための設定がなされているため、顧客は煩雑な設定作業をすること無しに、通信機器５０の電源をＯＮするだけで、購入者宅ルータ４０を介してインターネットにアクセスすることができる。【選択図】図１
2011172029.tif 000002
【特許請求の範囲】
【請求項１】
店舗に設置され、設定用無線親機に接続されている無線ＬＡＮ設定装置であって、
通信機器を購入する顧客の識別情報を受け付ける受付手段と、
顧客毎に顧客宅に設置されている無線親機の設定情報を記憶している記憶手段から、前記受付手段で識別情報を受け付けた顧客の顧客宅に設置されている無線親機の設定情報を取得する設定情報取得手段と、
前記設定情報取得手段で取得した設定情報を前記設定用無線親機に設定する設定手段と、
前記設定情報取得手段で取得した設定情報を提示する提示手段と、
を備えることを特徴とする、無線ＬＡＮ設定装置。
【請求項２】
前記設定用無線親機から、前記提示手段で提示された設定情報に基づいて設定がなされた通信機器の機器特定情報を取得し、該通信機器の購入者である顧客の識別情報と対応付けて前記記憶手段に記憶させる、
ことを特徴とする、請求項１に記載の無線ＬＡＮ設定装置。
【請求項３】
前記記憶手段は、顧客毎に顧客宅に設置されている無線親機の機器特定情報を記憶しており、
前記設定情報取得手段は、前記受付手段で識別情報を受け付けた顧客の顧客宅に設置されている無線親機の機器特定情報を取得し、
前記設定手段は、取得した機器特定情報に所定の関数を作用させてパスワードを生成し、生成したパスワードを前記設定用無線親機に設定する、
ことを特徴とする、請求項１又は２に記載の無線ＬＡＮ設定装置。
【請求項４】
店舗に設置され、設定用無線親機に接続されているコンピュータを、
通信機器を購入する顧客の識別情報を受け付ける受付手段、
顧客毎に顧客宅に設置されている無線親機の設定情報を記憶している記憶手段から、前記受付手段で識別情報を受け付けた顧客の顧客宅に設置されている無線親機の設定情報を取得する設定情報取得手段、
前記設定情報取得手段で取得した設定情報を、前記設定用無線親機に設定する設定手段、
前記設定情報取得手段で取得した設定情報を提示する提示手段、
として機能させるためのプログラム。
【請求項５】
店舗に設置され設定用無線親機に接続されている無線ＬＡＮ設定装置と、管理サーバと、を備える無線ＬＡＮ設定システムであって、
前記無線ＬＡＮ設定装置は、
通信機器を購入する顧客の識別情報を受け付ける受付手段と、
前記受付手段で受け付けた顧客の識別情報を含む設定情報取得要求を前記管理サーバに送信する設定要求手段と、を備え、
前記管理サーバは、
顧客毎に顧客宅に設置されている無線親機の設定情報を記憶している記憶手段と、
前記無線ＬＡＮ設定装置から受信した設定情報取得要求に含まれる識別情報で識別される顧客の顧客宅に設置されている無線親機の設定情報を前記記憶手段から取得する設定情報取得手段と、
取得した設定情報を前記無線ＬＡＮ設定装置に送信する設定情報送信手段と、を備え、
前記無線ＬＡＮ設定装置は、
前記管理サーバから受信した設定情報を前記設定用無線親機に設定する設定手段と、
前記管理サーバから受信した設定情報を提示する提示手段と、
を備えることを特徴とする、無線ＬＡＮ設定システム。
【発明の詳細な説明】
【技術分野】
【０００１】
本発明は、無線ＬＡＮ設定装置、プログラム、及び無線ＬＡＮ設定システムに関する。
【背景技術】
【０００２】
ユーザ宅に無線ＬＡＮ対応のルータを設置して、ＰＣ（Personal Computer）やゲーム機などの通信機器を無線によりインターネットに接続することが行われている。この場合、無線接続する通信機器に対して、ルータのＳＳＩＤ（Service Set Identifer）や、暗号化方式、パスワードなどの情報を設定する必要がある。しかしながら、このような設定をユーザが行うことは、通信機器や無線ＬＡＮに関する知識が必要なこともあり、困難であった。
【０００３】
これに対して、特許文献１には、ユーザによる設定操作を軽減し、設定の誤りが生ずることのない無線ＬＡＮの設定を行なうことが可能な無線ＬＡＮ設定システムについて記載されている。
【０００４】
また、通信機器や無線ＬＡＮに詳しい作業員がユーザ宅を訪問して、無線接続するための通信機器の設定を行うサービスも行われている。
【先行技術文献】
【特許文献】
【０００５】
【特許文献１】特開２００９−０８９２３０号公報
【発明の概要】
【発明が解決しようとする課題】
【０００６】
特許文献１に記載のサービスでも、ユーザが無線接続される機器の設定を行う作業が必要である。したがって、依然として無線ＬＡＮの設定をすることが困難であるという問題がある。
【０００７】
また、作業員がユーザ宅を訪問して設定を行う上述のサービスでは、作業員が訪問するためコストがかかった。
【０００８】
本発明は上記実情に鑑みてなされたものであり、作業員がユーザ宅を訪問することなしに、ユーザ宅で無線接続するための通信機器の設定を行うことを可能にした無線ＬＡＮ設定装置、プログラム、及び無線ＬＡＮ設定システムを提供することを目的とする。
【課題を解決するための手段】
【０００９】
上記目的を達成するため、本発明の第１の観点に係る無線ＬＡＮ設定装置は、
店舗に設置され、設定用無線親機に接続されている無線ＬＡＮ設定装置であって、
通信機器を購入する顧客の識別情報を受け付ける受付手段と、
顧客毎に顧客宅に設置されている無線親機の設定情報を記憶している記憶手段から、前記受付手段で識別情報を受け付けた顧客の顧客宅に設置されている無線親機の設定情報を取得する設定情報取得手段と、
前記設定情報取得手段で取得した設定情報を前記設定用無線親機に設定する設定手段と、
前記設定情報取得手段で取得した設定情報を提示する提示手段と、
を備えることを特徴とする。
【００１０】
前記設定用無線親機から、前記提示手段で提示された設定情報に基づいて設定がなされた通信機器の機器特定情報を取得し、該通信機器の購入者である顧客の識別情報と対応付けて前記記憶手段に記憶させてもよい。
【００１１】
前記記憶手段は、顧客毎に顧客宅に設置されている無線親機の機器特定情報を記憶しており、
前記設定情報取得手段は、前記受付手段で識別情報を受け付けた顧客の顧客宅に設置されている無線親機の機器特定情報を取得し、
前記設定手段は、取得した機器特定情報に所定の関数を作用させてパスワードを生成し、生成したパスワードを前記設定用無線親機に設定してもよい。
【００１２】
上記目的を達成するため、本発明の第２の観点に係るプログラムは、
店舗に設置され、設定用無線親機に接続されているコンピュータを、
通信機器を購入する顧客の識別情報を受け付ける受付手段、
顧客毎に顧客宅に設置されている無線親機の設定情報を記憶している記憶手段から、前記受付手段で識別情報を受け付けた顧客の顧客宅に設置されている無線親機の設定情報を取得する設定情報取得手段、
前記設定情報取得手段で取得した設定情報を、前記設定用無線親機に設定する設定手段、
前記設定情報取得手段で取得した設定情報を提示する提示手段、
として機能させる。
【００１３】
上記目的を達成するため、本発明の第３の観点に係る無線ＬＡＮ設定システムは、
店舗に設置され設定用無線親機に接続されている無線ＬＡＮ設定装置と、管理サーバと、を備える無線ＬＡＮ設定システムであって、
前記無線ＬＡＮ設定装置は、
通信機器を購入する顧客の識別情報を受け付ける受付手段と、
前記受付手段で受け付けた顧客の識別情報を含む設定情報取得要求を前記管理サーバに送信する設定要求手段と、を備え、
前記管理サーバは、
顧客毎に顧客宅に設置されている無線親機の設定情報を記憶している記憶手段と、
前記無線ＬＡＮ設定装置から受信した設定情報取得要求に含まれる識別情報で識別される顧客の顧客宅に設置されている無線親機の設定情報を前記記憶手段から取得する設定情報取得手段と、
取得した設定情報を前記無線ＬＡＮ設定装置に送信する設定情報送信手段と、を備え、
前記無線ＬＡＮ設定装置は、
前記管理サーバから受信した設定情報を前記設定用無線親機に設定する設定手段と、
前記管理サーバから受信した設定情報を提示する提示手段と、
を備えることを特徴とする。
【発明の効果】
【００１４】
本発明によれば、店舗内のルータをユーザ宅のルータと同じ設定にした後、店舗内のルータと接続可能となるようにユーザが購入した通信機器の設定を行う。従って、作業員がユーザ宅を訪問することなしに、ユーザ宅で無線接続するための通信機器の設定を行うことができる。
【図面の簡単な説明】
【００１５】
【図１】本発明の実施形態に係る無線ＬＡＮ設定装置を備えたシステムの構成を示す図である。
【図２】無線ＬＡＮ設定装置の構成を示すブロック図である。
【図３】店舗内ルータの構成を示すブロック図である。
【図４】顧客宅ルータの構成を示すブロック図である。
【図５】管理サーバの構成を示すブロック図である。
【図６】設定情報記憶ＤＢに格納される情報の構成例を示す図である。
【図７】設定処理の動作を説明するためのフローチャートである。
【図８】ルータエミュレートツールの画面の例を示した図である。
【図９】ルータエミュレートツールの画面の例を示した図である。
【図１０】接続確認処理の動作を説明するためのフローチャートである。
【発明を実施するための形態】
【００１６】
以下、本発明の実施形態について、図面を参照しながら詳細に説明する。なお、本発明は下記の実施形態及び図面によって限定されるものではない。本発明の要旨を変更しない範囲で下記の実施形態及び図面に変更を加えることが出来るのはもちろんである。また、図中同一または相当部分には同一符号を付す。
【００１７】
本発明の実施形態に係る無線ＬＡＮ設定装置について説明する。本発明の実施形態に係る無線ＬＡＮ設定装置１０は、図１に示すように、家電製品やＰＣ等を販売する店舗内に配置され、主に店員によって操作されるコンピュータである。無線ＬＡＮ設定装置１０は、顧客が購入したＰＣやゲーム機などの通信機器５０に対して、無線ＬＡＮに接続するための設定を行う。
【００１８】
無線ＬＡＮ設定装置１０は、ＬＡＮケーブル等を介して、同じ店舗内に配置されている設定用の無線親機である店舗内ルータ３０と接続される。また、無線ＬＡＮ設定装置１０は、インターネットに接続可能であり、インターネットを介して、データセンタに設置されている管理サーバ２０と接続される。無線ＬＡＮ設定装置１０は、図２に示すように、通信部１１と、操作部１２と、表示部１３と、記憶部１４と、制御部１５とを備えて構成される。
【００１９】
通信部１１は、制御部１５からの指示に従って、管理サーバ２０との通信を行う。例えば、通信部１１は、制御部１５からの指示に従い、店舗内ルータ３０に設定情報を送信する。
【００２０】
操作部１２はキーボードやマウスなどから構成され、店員からの操作に対応した操作信号を制御部１５に供給する。表示部１３は、表示パネル及びドライバ回路等から構成され、各種の情報を表示する。
【００２１】
記憶部１４は、ＲＡＭ（Random Access Memory）、ＲＯＭ（Read Only Memory）、補助記憶装置等の記憶装置によって構成され、各種のデータやプログラム等を記憶する。また、記憶部１４は、ルータエミュレートプログラムを記憶する。
【００２２】
制御部１５は、ＣＰＵ（Central Processing Unit）やマイクロプロセッサユニット等から構成され、記憶部１４に記憶されているプログラムを実行することで、無線ＬＡＮ設定装置１０全体の動作（各部の動作）を制御する。
また、制御部１５は、記憶部１４に記憶されているルータエミュレートプログラムを実行することによりルータエミュレートツールを起動し、管理サーバ２０から設定情報を取得して、店舗内ルータ３０が顧客宅ルータ４０と同等な状態になるように設定するルータ設定処理を行う。なお、ルータ設定処理の詳細については後述する。
【００２３】
図１に戻り、店舗内ルータ３０は、店舗内における無線ＬＡＮのアクセスポイントとして機能する。また、店舗内ルータ３０は、顧客が購入した通信機器５０に個別のＩＰアドレス（プライベートＩＰアドレス）を割り当て、インターネットに接続するためのゲートウェイ機能を有する。店舗内ルータ３０は、図３に示すように、無線インタフェース３１と、ＷＡＮインタフェース３２と、表示部３３と、記憶部３４と、制御部３５とを備えて構成される。
【００２４】
無線インタフェース３１は、アンテナなどを備え、無線ＬＡＮに用いられる電波を送受信する送受信機である。店舗内ルータ３０は、この無線インタフェース３１を介して、無線ＬＡＮに対応した通信機器５０とデータの送受信を行う。
【００２５】
ＷＡＮインタフェース３２は、インターネットへ接続するためのインタフェースである。なお、本実施形態では、ＷＡＮインタフェース３２は無線ＬＡＮ設定装置１０とＬＡＮケーブルで接続され、無線ＬＡＮ設定装置１０を経由して、インターネットへ接続される。
【００２６】
表示部３３は、店舗内ルータ３０の筐体表面に設置された表示ランプ（ＬＥＤ）等であり、店舗内ルータ３０の状態（処理中である旨など）を表示する。表示内容（点滅、点灯、消灯など）は制御部３５が指示する。なお、表示態様はランプに限らず、ディスプレイ等であってもよい
【００２７】
記憶部３４は、店舗内ルータ３０の種々の処理を行うためのプログラムを記憶している。また、記憶部３４は、無線ＬＡＮ接続に必要な情報、例えば、ＳＳＩＤ、暗号化方式、および、パスワードなどの情報（以下、設定情報とする）を記憶する。ＳＳＩＤは他のアクセスポイントと識別するための識別情報であり、店舗内ルータ３０と通信機器５０との間の通信は、ＷＥＰ（Wired Equivalent Privacy）、ＴＫＩＰ（Temporal Key Integrity Protocol）、ＷＰＡ（Wi-Fi Protected Access）等のプロトコルによる暗号化方式で暗号化されて行われる。また、通信機器５０が店舗内ルータ３０に接続するためには、パスワードが要求される。
【００２８】
制御部３５は、店舗内ルータ３０を統括的に制御する。制御部３５は、記憶部３４に記憶されているプログラムを読み出して実行することで種々の処理を行う。例えば、制御部３５は、無線ＬＡＮ設定装置１０からの指示を受けて、記憶部３４に記憶されている設定情報を設定（更新）する処理を行う。また、制御部３５は、無線ＬＡＮ設定装置１０からの指示を受けて、自身に無線ＬＡＮ接続されている通信機器５０のＭＡＣアドレスを無線ＬＡＮ設定装置１０に送信する処理を行う。
【００２９】
図１に戻り、顧客宅ルータ４０は、顧客宅に構築されている無線ＬＡＮのアクセスポイントとして機能する無線親機である。また、顧客宅ルータ４０は、顧客が購入した通信機器５０に個別のＩＰアドレス（プライベートＩＰアドレス）を割り当て、インターネットに接続するためのゲートウェイ機能を有する。顧客宅ルータ４０は、図４に示すように、無線インタフェース４１と、ＷＡＮインタフェース４２と、表示部４３と、記憶部４４と、制御部４５とを備えて構成される。これらの各部は、前述した店舗内ルータ３０の各部と基本的に同一の機能を有する。なお、顧客宅ルータ４０のＷＡＮインタフェース４２は、店舗内ルータ３０のＷＡＮインタフェース３２とは異なり、インターネットに直接接続されている。
【００３０】
図１に戻り、通信機器５０は、店舗内で販売されている無線ＬＡＮ接続機能を有するＰＣやゲーム機等の機器である。通信機器５０には、無線ＬＡＮ接続するための無線子機が備えられており、また、無線ＬＡＮ接続用のソフトウェアも予めインストールされている。なお、通信機器５０が無線ＬＡＮを介してインターネット接続するためには、無線ＬＡＮのアクセスポイントに応じた適切な設定が必要である。本実施形態では、購入された通信機器５０は、店頭にて無線ＬＡＮと接続可能になるように設定された後、顧客宅に配置される。そして、通信機器５０は、顧客宅ルータ４０を介して、無線でインターネットに接続することが可能となる。
【００３１】
管理サーバ２０は、データセンター内に配置され、店舗や顧客等に関する各種の情報を記憶、管理する。管理サーバ２０は、図５に示すように、通信部２１と、記憶部２２と、制御部２３とを含んで構成される。
【００３２】
通信部２１は、制御部２３からの指示に従って、インターネットを介して、無線ＬＡＮ設定装置１０や顧客宅ルータ４０との通信を行う。例えば、通信部２１は、制御部２３からの指示に従って、無線ＬＡＮ設定装置１０に設定情報を送信する。
【００３３】
記憶部２２は、ＲＡＭ（Random Access Memory）、ＲＯＭ（Read Only Memory）、補助記憶装置等の記憶装置によって構成され、各種固定データや各種プログラム等を記憶する。また、記憶部２２は、設定情報記憶ＤＢ（データベース）２２１を記憶する。
【００３４】
設定情報記憶ＤＢ２２１は、顧客毎に、顧客宅に設置されている顧客宅ルータ４０の設定情報等が記憶されるデータベースである。具体的には、設定情報記憶ＤＢ２２１には、図６に示すように、顧客毎に、顧客を識別するための会員番号と、該顧客のメールアドレスと、該顧客の自宅に設置されている顧客宅ルータ４０の設定情報（ＳＳＩＤ、暗号化方式、パスワード）と、該顧客宅ルータ４０が無線接続を許可する通信機器５０のＭＡＣアドレスとが対応付けられて記憶される。
【００３５】
（無線設定処理）
続いて、無線ＬＡＮ設定装置１０で実施される設定処理の詳細について、図７のフローチャートを参照して説明する。なお、前提として、予め、会員登録処理などにより、顧客毎に、顧客の顧客番号と顧客宅ルータ４０の設定情報とが対応付けられて設定情報記憶ＤＢ２２１に記憶されているものとする。
【００３６】
まず、顧客は、店舗内で販売されている通信機器５０を購入し、無線ＬＡＮに接続するための設定を行いたい旨を、自身の顧客番号とともに店舗の店員に伝える。店員は、無線ＬＡＮ設定装置１０の操作部１２を操作し、所定のアイコン等をクリックする。この操作に応答して、制御部１５はルータエミューレートプログラムを実行し、ルータエミュレートツールを起動させる。そして、店員は、操作部１２を操作して、当該ツールの図８（Ａ）に示すような画面から、顧客より伝えられた顧客番号を入力し、取得ボタンをクリックする。このクリック操作に応答して、制御部１５は、通信部１１を制御して入力された顧客番号を含む設定情報取得要求を管理サーバ２０に送信する（ステップＳ１０１）。
【００３７】
設定情報取得要求を無線ＬＡＮ設定装置１０から受信すると（ステップＳ１０２）、管理サーバ２０の制御部２３は、当該要求に含まれる顧客番号をキーに設定情報記憶ＤＢ２２１を検索して、顧客宅に設置されている顧客宅ルータ４０の設定情報（ＳＳＩＤ、暗号化タイプ、パスワード）を取得する（ステップＳ１０３）。そして、制御部２３は、通信部２１を制御して、取得した設定情報を無線ＬＡＮ設定装置１０に送信する（ステップＳ１０４）。
【００３８】
無線ＬＡＮ設定装置１０の制御部１５は、管理サーバ２０から設定情報を受信すると、図８（Ｂ）に示すような画面を作成して取得した設定情報を表示部１３に表示する（ステップＳ１０５）。この例では、設定情報として、ＳＳＩＤ「ＡＡＡＡ」と、暗号化タイプ「ＷＰＡ」と、パスワード「＊＊＊＊＊＊」とが表示されている。店員は、この画面を確認した後、設定ボタンをクリックする。このクリック操作に応答して、制御部１５は、通信部１１を制御して、受信した設定情報でルータの設置を行うことを指示する設定要求を店舗内ルータ３０に送信する（ステップＳ１０６）。
【００３９】
設定要求を受信すると（ステップＳ１０７）、店舗内ルータ３０の制御部３５は、記憶部３４に記憶されている設定情報を、受信した設定要求が示す設定情報に設定（更新）する（ステップＳ１０８）。この処理により、店舗内ルータ３０は、顧客宅ルータ４０と実質的に同じ設定となる。続いて、店舗内ルータ３０の制御部３５は、設定が完了したことを示す設定完了通知を、無線ＬＡＮ設定装置１０に送信する（ステップＳ１０９）。
【００４０】
設定完了通知を受信すると（ステップＳ１１０）、無線ＬＡＮ設定装置１０の制御部１５は、顧客宅ルータ４０と同じに設定された店舗内ルータ３０と無線接続可能となるように、購入した通信機器５０の設定を行うことを促す図９（Ａ）に示すような画面を表示部１３に表示する（ステップＳ１１１）。店員は、顧客が購入した通信機器５０を操作して、無線ＬＡＮ接続用の設定画面を表示し、ルータと接続するために必要な設定情報を入力する。この際、入力する設定情報は、図９（Ａ）に示す画面に表示されている設定情報と同じものを入力すればよい。
【００４１】
通信機器５０の設定が完了すると、店員は、図９（Ａ）の画面上の接続確認ボタンをクリックする。この操作に応じて、無線ＬＡＮ設定装置１０の制御部１５は、通信部１１を制御して、通信機器５０のＭＡＣアドレスの取得要求を、店舗内ルータ３０に送信する（ステップＳ１１２）。
【００４２】
ＭＡＣアドレス取得要求を受信すると（ステップＳ１１３）、店舗内ルータ３０の制御部３５は、現在無線接続されている通信機器５０のＭＡＣアドレスを取得し、無線ＬＡＮ設定装置１０に送信する（ステップＳ１１４）。無線ＬＡＮ設定装置１０の制御部１５は、ＭＡＣアドレスを受信すると（ステップＳ１１５）、通信部１１を制御して、受信したＭＡＣアドレスを管理サーバ２０に送信する（ステップＳ１１６）。
【００４３】
管理サーバ２０の制御部２３は、無線ＬＡＮ設定装置１０から、ＭＡＣアドレスを受信すると（ステップＳ１１７）、ステップＳ１０３で取得した設定情報と対応付けて、設定情報記憶ＤＢ２２１に記憶する（ステップＳ１１８）。この処理により、顧客宅ルータ４０と同じ設定がなされた店舗内ルータ３０と、顧客が購入した通信機器５０との間で無線通信が可能となったことが確認できる。以上で無線ＬＡＮ設定の処理は終了する。
【００４４】
その後、このように無線ＬＡＮに接続するための設定がなされた通信機器５０は店員から購入者に渡され、購入者宅で使用される。この際、通信機器５０には、既に、顧客宅ルータ４０に接続するための設定がなされている。従って、顧客は煩雑な設定作業をすること無しに、通信機器５０の電源をＯＮするだけで、顧客宅ルータ４０を介して無線でインターネットにアクセスすることができる。
【００４５】
（接続確認処理）
管理サーバ２０は、顧客宅ルータ４０から送信されるくる通信機器５０のＭＡＣアドレスに基づいて、不正な第三者が使用する通信機器５０から接続されていないかを確認する接続確認処理を行う。この接続処理について、図１０のフローチャートを参照して説明する。
【００４６】
顧客宅ルータ４０の制御部４５は、所定のスケジューリングツールなどにより、所定時間が経過する度に、現在自身と無線接続している通信機器５０のＭＡＣアドレスを取得する（ステップＳ２０１）。そして、制御部４５は、取得したＭＡＣアドレスと、記憶部４４に記憶されている設定情報（ＳＳＩＤ、暗号化タイプ、パスワード）とを管理サーバ２０に送信する（ステップＳ２０２）。なお、設定情報のうちＳＳＩＤのみを管理サーバ２０に送信するようにしてもよい。また、制御部４５は、通信機器５０と接続されていない場合は、設定情報のみを送信してもよい。
【００４７】
管理サーバ２０の制御部２３は、顧客宅ルータ４０からＭＡＣアドレスと設定情報とを受信する（ステップＳ２０３）。そして、制御部２３は、受信した設定情報とＭＡＣアドレスとが対応付けられて設定情報記憶ＤＢ２２１に記憶されているか否かを判別する（ステップＳ２０４）。
【００４８】
記憶されていると判別した場合（ステップＳ２０４；Ｙｅｓ）、顧客宅ルータ４０は、購入時の設定処理により、ＭＡＣアドレスが登録された通信機器５０から接続されていることがわかる。よって、正常な接続であり処理は終了する。
【００４９】
記憶されていないと判別した場合（ステップＳ２０４；ＮＯ）、ＭＡＣアドレスが登録されていない不正な通信機器５０が顧客宅ルータ４０に接続している可能性がある。従って、顧客宅ルータ４０の制御部４５は、対応する顧客にその旨を警告する（ステップＳ２０５）。具体的には、制御部４５は、ステップＳ２０３で受信した設定情報に対応付けられている顧客のメールアドレスを設定情報記憶ＤＢ２２１から取得し、取得したメールアドレス宛に不正な通信機器５０から接続されていることを警告するメールを送信する。なお、制御部４５は、図示せぬ顧客管理センターなどを宛先にとして、この警告メールを送信してもよい。以上で、接続確認処理は終了する。
【００５０】
このように、本実施形態では、予めＭＡＣアドレスが登録されている通信機器５０以外の機器から顧客宅ルータ４０に接続があった場合、その旨が警告される。従って、不正な第三者からの顧客宅ルータ４０の利用を防ぐことができ、高いセキュリティを確保することができる。
【００５１】
なお、上記実施形態は、種々の変形、および、応用が可能である。
例えば、顧客宅ルータ４０は、インターネットを介して、緊急地震速報などの災害情報を図示せぬ災害情報通知サーバなどから受信し、それを表示部４３に表示したり、又は、接続されている通信機器５０に出力してもよい。
【００５２】
また、上記実施形態では、設定情報記憶ＤＢ２２１にパスワードを記憶したが、パスワードは記憶せず、代わりに顧客宅ルータ４０のＭＡＣアドレスを記憶するようにしてもよい。そして、設定情報としてパスワードを店舗内ルータ３０に設定する際には、記憶されている顧客宅ルータ４０のＭＡＣアドレスに、、ＭＤ５（Message Digest #5）やＳＨＡ−１（Secure Hash Algorithm）等のハッシュ関数を作用させてハッシュ値を生成し、それをパスワードとしてもよい。このようにすることで、設定情報記憶ＤＢ２２１内には、秘匿性の高いパスワードが記憶されないため、セキュリティをより向上させることが可能となる。
【００５３】
また、管理サーバ２０は、顧客宅ルータ４０からの設定情報やＭＡＣアドレスの送信が所定の期間ない場合に、当該ルータが故障しているものと判断し、図示せぬ本社のサービスセンターなどに、その旨を通知するメールを送信するようにしてもよい。
【００５４】
また、上記実施形態では、無線ＬＡＮ設定装置１０と管理サーバ２０とが別々の装置であると説明したが、無線ＬＡＮ設定装置１０と管理サーバ２０とが１つの装置から構成されてもよい。
【００５５】
なお、本実施形態の無線ＬＡＮ設定装置１０および管理サーバ２０は、専用のハードウェアに限られるものではなく、通常のコンピュータシステムによっても実現することができる。
【００５６】
具体的には、上記実施形態では、無線ＬＡＮ設定装置１０および管理サーバ２０が実行するプログラムが、記憶部１４，２２等に予め記憶されているものとして説明した。しかし、上述の処理動作を実行させるためのプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の処理を実行する無線ＬＡＮ設定装置１０および管理サーバ２０を構成してもよい。
【符号の説明】
【００５７】
１０      無線ＬＡＮ設定装置
２０      管理サーバ
３０      店舗内ルータ
４０      顧客宅ルータ
５０      通信機器
【図１】
2011172029.tif 000003
【図２】
2011172029.tif 000004
【図３】
2011172029.tif 000005
【図４】
2011172029.tif 000006
【図５】
2011172029.tif 000007
【図６】
2011172029.tif 000008
【図７】
2011172029.tif 000009
【図８】
2011172029.tif 000010
【図９】
2011172029.tif 000011
【図１０】
2011172029.tif 000012